(57)【要約】      （修正有）【課題】容器セットを構成する所定個数の容器を楽しみながら集めることができるし、所定個数全ての容器を集めたときの楽しみも味わうことができ、しかも、容器としても使用できると共に、装飾品としても使用できる容器セットを提供すること。【解決手段】周壁部３３と、底壁部と、上側開口部とを有し、周壁部３３の外表面に装飾２１〜２９が施されている容器１１〜１９を備える容器セット１０において、容器１１〜１９を、装飾２１〜２９が所定の一方向から見えるように予め定めた所定の向きに向かわせると共に、互いに隣接させて上下左右に配置することによって、容器１１〜１９に施された装飾２１〜２９が全体としても装飾２０となる。【選択図】図１
0003149991.tif 000002
【実用新案登録請求の範囲】
【請求項１】
周壁部と、底壁部と、上側開口部とを有し、前記周壁部の外表面に装飾が施されている容器を複数備える容器セットにおいて、
前記複数の容器を、それぞれに施された前記装飾が所定の一方向から見えるように予め定めた所定の向きに向かわせると共に、互いに隣接させて配置することによって、前記複数の容器に施された複数の装飾が全体としても所定の装飾となることを特徴とする容器セット。
【請求項２】
前記装飾は、絵画、模様、又は色彩であって、平面的又は立体的なものであることを特徴とする請求項１記載の容器セット。
【請求項３】
前記装飾が、前記周壁部の外表面に２つ以上施されていることを特徴とする請求項１又は２記載の容器セット。
【請求項４】
前記複数の容器を所定位置に互いに隣接して配置するときに、前記複数の各容器ごとに施されている２つ以上の前記装飾のうち予め定めたそれぞれの前記装飾を、前記所定の一方向に向かわせることによって、全体として異なる２以上の所定の装飾となることを特徴とする請求項３に記載の容器セット。
【請求項５】
前記容器は、上下方向に積み重ねることができるものであり、前記容器の底壁部には、その下側に配置される前記容器の上側開口縁部と係脱自在に係合される係合凸部が形成されていることを特徴とする請求項１乃至４のいずれかに記載の容器セット。
【請求項６】
前記複数の容器は、横幅又は高さが相違しているものを含むことを特徴とする請求項１乃至５のいずれかに記載の容器セット。
【請求項７】
横幅の大きい前記容器の底壁部に形成されている前記係合凸部は、その下側に配置される横幅の小さい前記容器の開口縁部と係脱自在に係合されるように形成されていることを特徴とする請求項６記載の容器セット。
【考案の詳細な説明】
【技術分野】
【０００１】
本考案は、周壁部の外表面に装飾が施されている容器を複数備える容器セットに関する。
【背景技術】
【０００２】
従来より、容器の周壁部の外表面に装飾が施されたコーヒーカップセットがある。このようなコーヒーカップセットは、それを構成するそれぞれのコーヒーカップの側面に同じような模様等の装飾が施されているものがあり、このように同じ装飾が施されたコーヒーカップを、例えば食器棚に並べて配置すると、全体としての美観を奏することができる。
【考案の概要】
【考案が解決しようとする課題】
【０００３】
しかし、側面に同じような装飾が施されているコーヒーカップを互いに隣接させて並べたとしても、それら複数のコーヒーカップに施された装飾によって、全体として新たな装飾を完成することができない。
【０００４】
従って、例えばこのコーヒーカップセットが所定個数のコーヒーカップによって構成され、１つずつ購入して集めようとするときに、所定個数のコーヒーカップを全て集めることの必要性が無く、コーヒーカップを全個数集めることの楽しみの度合いが低い。そして、全個数のコーヒーカップを集めたときの楽しみの度合いも低く感じられる。
【０００５】
本考案は、上記のような課題を解決するためになされたものであり、容器セットを構成する所定個数の容器を楽しみながら集めることができると共に、所定個数全ての容器を集めたときの楽しみも味わうことができ、しかも、容器としての使用だけでなく、装飾品としても使用できる容器セットを提供することを目的としている。
【課題を解決するための手段】
【０００６】
本考案に係る容器セットは、周壁部と、底壁部と、上側開口部とを有し、前記周壁部の外表面に装飾が施されている容器を複数備える容器セットにおいて、前記複数の容器を、それぞれに施された前記装飾が所定の一方向から見えるように予め定めた所定の向きに向かわせると共に、互いに隣接させて配置することによって、前記複数の容器に施された複数の装飾が全体としても所定の装飾となることを特徴とするものである。
【０００７】
この考案に係る容器セットによると、それぞれの容器を容器として実用的に使用することができる。更に、この容器セットを構成する複数の容器を集めて全体としての装飾を完成させるために、それぞれの容器を集めることの楽しみを与えることができる。そして、容器を集めて全体としての装飾を完成させるという楽しみも与えることができる。そして、この容器セットの複数の容器を、それぞれに施された装飾が所定の一方向から見えるように予め定めた所定の向きに向かわせると共に、互いに隣接させて配置することによって、複数の容器に施された複数の装飾が全体としても所定の装飾となり、この容器セットが装飾品としての機能を果たすことができる。また、各容器自体も装飾が施されているので、装飾品としての機能を果たすことができる。
【０００８】
この考案に係る容器セットにおいて、前記装飾は、絵画、模様、又は色彩であって、平面的又は立体的なものとすることができる。このように装飾として、絵画、模様、又は色彩であって、平面的又は立体的なものとすると、使用者は、この容器セットを配置する室内のデザインに適合することができる容器セットを選択して使用することができる。
【０００９】
この考案に係る容器セットにおいて、前記装飾が、前記周壁部の外表面に２つ以上施すことができる。このようにすると、使用者がこれらの各容器の見る方向を変えることによって、異なる２つの装飾を見て楽しむことができる。
【００１０】
この考案に係る容器セットにおいて、前記複数の容器を所定位置に互いに隣接して配置するときに、前記複数の各容器ごとに施されている２つ以上の前記装飾のうち予め定めたそれぞれの前記装飾を、前記所定の一方向に向かわせることによって、全体として異なる２以上の所定の装飾となるようにすることができる。
【００１１】
このようにすると、１つの容器セットを使用して、全体として異なる２以上の所定の装飾を表現することができる。これによって、この容器セットが飾られた場所の雰囲気を、幾種類にも変更することができて楽しむことができる。
【００１２】
この考案に係る容器セットにおいて、前記容器は、上下方向に積み重ねることができるものであり、前記容器の底壁部に、その下側に配置される前記容器の上側開口縁部と係脱自在に係合される係合凸部を形成することができる。
【００１３】
このように、容器を積み重ねることができるようにすると、この容器セットによって表される全体としての装飾を、高さ方向に拡大することができ、装飾として豪華さを持たせることができる。そして、容器の底壁部に形成されている係合凸部を、下段に配置されている容器の上側開口縁部と係合させることによって、容器を複数段に安定して積み重ねて装飾を完成させることができる。
【００１４】
この考案に係る容器セットにおいて、前記複数の容器は、横幅又は高さが相違しているものを含むものとすることができる。このように、横幅又は高さが相違する容器を含むものとすると、用途に応じて異なった形状に形成された複数の容器を含めることができる。また、例えばこれら複数の容器を互いに隣接させると共に、積み重ねて配置したときに、容器どうしの境界線が碁盤目状とならず、いびつで変化に富んだ境界線が形成され、デザインとしての面白みを持たせることができる。
【００１５】
この考案に係る容器セットにおいて、横幅の大きい前記容器の底壁部に形成されている前記係合凸部は、その下側に配置される横幅の小さい前記容器の開口縁部と係脱自在に係合されるように形成することができる。このようにすると、横幅の大きい容器の底壁部に形成されている係合凸部を、その下側に配置される横幅の小さい容器の開口縁部に係合させることができる。これによって、横幅の小さい容器の上に横幅の大きい容器を安定して積み重ねることができる。
【考案の効果】
【００１６】
この考案に係る容器セットによると、複数の容器に施された複数の装飾が全体としても所定の装飾となるので、容器を集めることの楽しみを与えることができるし、これらの容器を集めて全体としての装飾を完成させるという楽しみも与えることができる。従って、この容器セットによると、使用者の性別、年齢層、趣味等に応じて、使用者の要求を満たすことができる形状であって装飾が施された様々な容器セットを多数提供することができる。
【００１７】
そして、この容器セットは、容器としての実用的価値があり、更に、装飾としての機能を果たすことができるので、この容器セットを室内に並べて置くためのスペースは、装飾品を配置するためのスペースを兼ねることができ、室内のスペースを有効に利用することができる。
【図面の簡単な説明】
【００１８】
【図１】この考案の第１実施形態に係る容器セットを示す斜視図である。
【図２】同第１実施形態に係る容器セットを示す正面図である。
【図３】同第１実施形態に係る同容器セットが備える容器を示す斜視図である。
【図４】この考案の第２実施形態に係る容器セットを示す正面図である。
【図５】同第２実施形態に係る同容器セットが備える容器を示す斜視図である。
【図６】この考案の第３実施形態に係る容器セットを示す正面図である。
【考案を実施するための形態】
【００１９】
以下、本願考案に係る容器セットの第１実施形態を、図１〜図３を参照して説明する。図１は、９個の容器１１、１２、・・・１９を備える容器セット１０の斜視図であり、それぞれの容器１１〜１９に施されている装飾２１〜２９を所定の一方向（正面方向）から見えるように上下３段、左右３列に配置してある。図２は、そのように積み重ねられた９つの容器１１〜１９を備える容器セット１０の正面図である。そして、一番下の段の左から順番に、容器１１、１２、１３が配置されている。そして、容器１１、１２、１３の上にそれぞれ容器１４、１５、１６が積み重ねられ、更に、容器１４、１５、１６の上にそれぞれ容器１７、１８、１９が積み重ねられている。
【００２０】
図３に示す容器１６は、例えば陶器のコーヒーカップであり、容器本体部３０と把持部３１とを備えている。
【００２１】
容器本体部３０は、図３に示すように、略四角筒形状に形成された周壁部３３を有し、この周壁部３３の下側開口が底壁部３４によって閉塞されている。そして、周壁部３３を形成する４つの壁部のうちの１つの壁部の外表面には、装飾２６が施されている。
【００２２】
また、底壁部３４の外表面には、底面形状が矩形の係合凸部３５が下方に向かって突出するように形成されている。更に、周壁部３３の上端縁には、矩形の上側開口縁部３６が形成されている。そして、この係合凸部３５は、他の容器１２〜１９に形成されているそれぞれの上側開口縁部３６と係脱自在に係合可能に形成され、容器を上下方向に積み重ねられるように形成されている。
【００２３】
把持部３１は、図３に示すように、略コ字状に形成され、容器本体部３０を形成する周壁部３３の４つの壁部のうちの１つの壁部の外表面に設けられている。そして、この把持部３１は、装飾２６が施されている壁部と対向して形成されている壁部の外表面に形成されている。
【００２４】
次に、図１及び図２に示す容器１６以外のそれぞれの容器１１〜１５、１７〜１９を説明する。容器１６と、これらの各容器１１〜１５、１７〜１９とが相違するところは、周壁部３３の外表面に施されている装飾が相違するところであり、容器１６には装飾２６が施されているのに対し、容器１１〜１５、１７〜１９にはそれぞれ装飾２１〜２５、２７〜２９が施されている。
【００２５】
そして、装飾２１〜２９は、図２に示すように、合計９つの容器１１〜１９を、それぞれに施された装飾２１〜２９が所定の一方向から見えるように予め定めた所定の向きに向かわせると共に、互いに隣接させて上下３段、左右３列に配置することによって、これら９つの容器１１〜１９に施された９つの装飾２１〜２９が全体としても所定の装飾２０となるように施されている。
【００２６】
この装飾２０は、例えば山の裾野に町並みが描かれ、道路や鉄道、更に海に船が浮かんでいる様子等が描かれ、上下左右に隣接しているそれぞれの容器に施されている装飾が、デザイン的に又は観念的に連続するように絵画として平面的に表されている。従って、９つの容器１１〜１９に施された９つの装飾２１〜２９は、図２に示すように配置したときに、全体として１つの所定の装飾２０を完成するように施されている。そして、容器１１〜１５、１７〜１９は、上記以外については容器１６と同等であるので、それらの説明を省略する。
【００２７】
次に、上記のように構成された容器セット１０の使用例を、図１〜図３を参照して説明する。この容器セット１０を構成するそれぞれの容器１１〜１９は、コーヒーカップの容器として家族全員で気軽に使用でき、極めて実用性のある有益なものとして使用できる。
【００２８】
そして、図１及び図２に示すように、容器セット１０を構成する容器１１〜１９を使用して、同各図に示すように装飾２０を完成させることができる。このような装飾２０を完成させるときは、それぞれの容器１１〜１９の各装飾２１〜２９が一方向（例えば正面）から見えるように、容器１１〜１９の向きを揃えながら上下３段、左右３列に互いに隣接させて配置する。このとき、各段の容器（１１、１２、１３）、（１４、１５、１６）、（１７、１８、１９）は、横方向に互いに隣接している。そして、各列の容器（１１、１４、１７）、（１２、１５、１８）、（１３、１６、１９）は、縦方向に積み重ねられて互いに隣接している。このようにして、容器セット１０を構成する容器１１〜１９の装飾２０を完成させることができる。
【００２９】
次に、図１〜図３に示す容器セット１０の作用を説明する。この容器セット１０によると、容器セット１０を構成する複数の容器１１〜１９を集めて全体としての装飾２０を完成させるために、それぞれの容器１１〜１９を集めることの楽しみを、この容器セットの収集者に与えることができる。そして、容器１１〜１９を集めて全体としての装飾２０を完成させるという楽しみも与えることができる。
【００３０】
そして、図１及び図２に示すように、この容器セット１０のそれぞれの容器１１〜１９を、それぞれに施された装飾２１〜２９が全て一方向の正面から見えるように向かわせると共に、互いに隣接させて配置することによって、それぞれの容器１１〜１９に施された装飾２１〜２９が全体としても所定の装飾２０となり、この容器セット１０が装飾品としての機能を果たすことができる。また、各容器１１〜１９自体も装飾２１〜２９が施されているので、装飾品としての機能を果たすことができる。
【００３１】
このように、この容器セット１０によると、９つの各容器１１〜１９に施された９つの装飾２１〜２９が全体としても所定の装飾２０となるので、容器１１〜１９を集めることの楽しみがあるし、これらの容器１１〜１９を集めて全体としての装飾２０を完成させるという楽しみもある。従って、この容器セット１０によると、使用者の性別、年齢層、趣味等に応じて、使用者の要求を満たすことができる形状であって装飾が施された様々な容器セットを多数提供することができる。
【００３２】
そして、この容器セット１０は、容器としての実用的価値があり、更に、装飾としての機能を果たすことができるので、この容器セット１０を室内に並べて置くためのスペースは、装飾品を配置するためのスペースを兼ねることができ、室内のスペースを有効に利用することができる。
【００３３】
また、図１〜図３に示すように、装飾２０、２１〜２９として、絵画、模様、又は色彩であって、平面的又は立体的なものとすると、使用者は、この容器セットを配置する室内のデザインに適合することができる容器セットを選択して使用することができる。
【００３４】
更に、図１〜図３に示すように、それぞれの容器１１〜１９の各周壁部３３は、略四角筒形状としてあるので、９つの各容器１１〜１９を互いに上下左右に隣接させて配置したときに、９つの各容器１１〜１９の装飾２１〜２９が施されている各面が平坦面となるようにすることができる。これによって、隣接して配置された９つの容器１１〜１９が一体物として見えるようにすることができる。
【００３５】
また、容器１１〜１９のそれぞれの底壁部３４には、その下側に配置される容器１１〜１９の上側開口縁部３６と係合される係合凸部３５が形成されているので、容器１１〜１９を３段に安定して積み重ねて装飾２０を完成させることができる。このように、容器１１〜１９は、上下方向に積み重ねることができるので、容器セット１０によって表される全体としての装飾２０を、高さ方向に拡大することができ、装飾として豪華さを持たせることができる。
【００３６】
次に、図４及び図５を参照して、本考案に係る容器セットの第２実施形態を説明する。この図４及び図５に示す第２実施形態の容器セット４０と、図１〜図３に示す第１実施形態の容器セット１０とが相違するところは、第１実施形態の容器セット１０は、９つの容器１１〜１９のそれぞれの周壁部３３を形成する４つの壁部のうちの１つの壁部の外表面に装飾２１〜２９が施されているのに対して、第２実施形態の容器セット４０は、４つの容器４１〜４４のそれぞれの周壁部３３を形成する４つの壁部のうちの、互いに隣合う２つの壁部の各外表面に装飾（５１、６１）、（５２、６２）、（５３、６３）、（５４、６４）が施されているところである。
【００３７】
そして、装飾５１、５２、５３、５４は、図４（Ａ）に示すように、４つのそれぞれの容器４１〜４４を、上下左右に隣接して所定の第１の位置（下段に容器４１、４２を配置し、上段に容器４３、４４を配置する位置）であって、所定の第１の向き（把手部３１と対向する位置に形成されている壁部の外表面に施されている装飾５１〜５４が正面を向く位置）に配置したときに、それぞれの容器４１〜４４に施されている装飾５１〜５４が、連続するものとなり、全体として所定の第１の装飾５０となるように施されている。
【００３８】
また、装飾６１、６２、６３、６４は、図４（Ｂ）に示すように、４つのそれぞれの容器４１〜４４を、上下左右に隣接して所定の第１の位置であって、所定の第２の向き（把手部３１と隣接する位置に形成されている壁部の外表面に施されている装飾６１〜６４が正面を向く位置）に配置したときに、それぞれの容器４１〜４４に施されている装飾６１〜６４が、連続するものとなり、全体として所定の第２の装飾６０となるように施されている。
【００３９】
これ以外は、第１実施形態と同等であるので、同等部分を同一の図面符号で示し、それらの説明を省略する。
【００４０】
上記のように構成された容器セット４０によると、この容器セット４０を構成するそれぞれの容器４１〜４４は、第１実施形態と同様に、コーヒーカップの容器として家族全員で気軽に使用でき、極めて実用性のある有益なものとして使用できる。
【００４１】
そして、図４（Ａ）に示すように、容器セット４０を構成する容器４１〜４４を、上下左右に隣接する所定の第１の位置であって、所定の第１の向きに配置することによって、それぞれの容器４１〜４４に施されている装飾５１〜５４が全体として所定の第１の装飾５０となるように完成させることができる。
【００４２】
また、図４（Ｂ）に示すように、容器セット４０を構成する容器４１〜４４を、上下左右に隣接する所定の第１の位置であって、所定の第２の向きに配置することによって、それぞれの容器４１〜４４に施されている装飾６１〜６４が全体として所定の第２の装飾６０となるように完成させることができる。
【００４３】
このように、１つの容器セット４０を使用して、全体として異なる２通りの装飾５０、６０を表現することができる。これによって、この容器セット４０が飾られた場所の雰囲気を、装飾５０又は６０に変更して楽しむことができる。また、各容器４１〜４４に２つずつ施されているそれぞれの装飾５１〜５４、６１〜６４を見て楽しむこともできる。
【００４４】
次に、図６を参照して、本考案に係る容器セットの第３実施形態を説明する。この図６に示す第３実施形態の容器セット７０と、図１〜図３２に示す第１実施形態の容器セット１０とが相違するところは、第１実施形態の容器セット１０を構成する容器１１〜１９の横幅及び高さの各寸法は、全て同一であるのに対して、第３実施形態の容器セット７０を構成する容器７１、７２、７３、７４の横幅及び高さの各寸法は、相違しているものを含むところである。
【００４５】
つまり、図６に示すように、容器７１の横幅は、容器７２、７３と同一であるが、容器７１の高さは、容器７２、７３のそれぞれの高さの２倍である。そして、容器７２、７３のそれぞれの高さは、互いに同一である。そして、容器７４の高さは、容器７２、７３と同一であるが、容器７４の横幅は、容器７１、７２、７３のそれぞれの横幅の２倍に形成されている。なお、これらの容器７１、７２、７３、７４は、湯呑、小鉢、中皿である。
【００４６】
また、図３に示す第１実施形態の容器セット１０を構成する容器１１〜１９の底壁部３４には、係合凸部３５がそれぞれ一つずつ形成されているのに対して、図６に示す容器セット７０の容器７４の底壁部１００には、係合凸部８４、８５が２つ形成されているところも相違している。
【００４７】
この容器７４の底壁部１００に形成されている左側の係合凸部８４は、その下側左に配置されている容器７１の上側開口縁部９１と係脱自在に係合可能であり、右側の係合凸部８５は、その下側右に配置されている容器７３の上側開口縁部９３と係脱自在に係合可能である。
【００４８】
これ以外の例えば装飾等は、第１実施形態と同等であるので、同等部分の図での記載及び説明を省略する。
【００４９】
図６に示すように、この容器セット７０は、横幅及び高さが相違している容器７１〜７４を含むので、湯呑７１、小鉢７２、７３、中皿７４という異なった形状の容器を積み重ねることができる。また、同図に示すように、容器７１〜７４を互いに隣接させると共に、積み重ねて配置したときに、容器どうしの境界線１１０が碁盤目状とならず、いびつで変化に富んだ境界線１１０が形成され、デザインとしての面白みを持たせることができる。
【００５０】
そして、図６に示すように、横幅の大きい容器７４の底壁部１００に形成されている係合凸部８４、８５は、その下側に配置される横幅の小さい容器７１、７３のそれぞれの上側開口縁部９１、９３に係合させることができる。これによって、２つ横に並べた横幅の小さい容器７１、７３の上に、横幅の大きい容器７４を安定して積み重ねることができる。
【００５１】
ただし、上記第１及び第２実施形態では、例えば図１に示すように、装飾２０、２１〜２９を平面的なものとしたが、これに代えて、立体的なものとすることができる。このようにしても、使用者は、この容器セットを配置する室内のデザインに適合することができる容器セットを選択して使用することができる。
【００５２】
そして、上記第１及び第２実施形態では、例えば図１に示すように、それぞれの容器１１〜１９の周壁部３３を略四角筒形状としたが、これに代えて、略円筒形状としてもよい。このように、周壁部を略円筒形状とすると、９つの容器を互いに上下左右に隣接させて配置したときに、奥行きのある立体的な装飾を形成することができる。
【００５３】
また、上記第１及び第２実施形態では、それぞれの容器として、コーヒーカップに適用したが、スープカップ、コップ、皿、鉢、碗その他の容器に適用してもよい。これによって、この容器セットを単なる装飾品として使用するだけでなく、極めて実用性のある有益なものとして使用できる。
【００５４】
更に、上記各実施形態では、それぞれの容器を陶器としたが、これ以外の例えば合成樹脂や木によって形成してもよい。
【産業上の利用可能性】
【００５５】
以上のように、本考案に係る容器セットは、容器セットを構成する所定個数の容器を楽しみながら集めることができるし、所定個数全ての容器を集めたときの楽しみも味わうことができ、しかも、容器としても使用できると共に、装飾品としても使用できる優れた効果を有し、このような容器セットに適用するのに適している。
【符号の説明】
【００５６】
１０  容器セット
１１〜１９  容器
２０  容器セットの装飾
２１〜２９  装飾
３０  容器本体部
３１  把持部
３２  上部開口部
３３  周壁部
３４  底壁部
３５  係合凸部
３６  上側開口縁部
４０  容器セット
４１〜４４  容器
５０  容器セットの装飾
５１〜５４  装飾
６０  容器セットの装飾
６１〜６４  装飾
７０  容器セット
７１〜７４  容器
８３〜８５  係合凸部
９１〜９３  上側開口縁部
１００  底壁部
１１０  境界線
【図１】
0003149991.tif 000003
【図２】
0003149991.tif 000004
【図３】
0003149991.tif 000005
【図４】
0003149991.tif 000006
【図５】
0003149991.tif 000007
【図６】
0003149991.tif 000008